(57)【要約】【課題】互いに形状が異なる印刷物をその送付先毎に同封する印刷物封入システムにおいて、同封される印刷物が送付先毎に決められた組み合わせとなっているかどうかを照合することなく、決められた組み合わせの印刷物を容易に、かつ正しく同封する。【解決手段】印字部２０にて２つの印刷物が連接するように印刷物毎に所定の情報が印字され、その後、断裁部３０にて印刷物の提供先毎に断裁された連続用紙を、折り部４０において、２つの印刷物となる領域の境界線を折り目として折り畳んだ後に、２つの印刷物のうち連接方向の長さが短い印刷物が他方の印刷物に折り畳まれない状態で挟み込まれるように他方の印刷物となる領域を折り畳み、その後、断裁部５０において、折り部４０にて折り畳まれた連続用紙の２つの印刷物となる領域の境界線を断裁する。【選択図】  図１
2004224493.tif 000002
【特許請求の範囲】
【請求項１】
互いに形状が異なる２つの印刷物を同封する印刷物封入システムであって、
供給される連続用紙に対して、前記２つの印刷物が連接するように前記印刷物毎に所定の情報を印字する印字手段と、
前記印字手段にて所定の情報が印字された連続用紙を前記印刷物の提供先毎に断裁する第１の断裁手段と、
前記第１の断裁手段にて断裁された連続用紙を、前記２つの印刷物となる領域の境界線を折り目として折り畳んだ後に、前記２つの印刷物のうち連接方向の長さが短い印刷物が他方の印刷物に折り畳まれない状態で挟み込まれるように前記他方の印刷物となる領域を折り畳む折り手段と、
前記折り手段にて折り畳まれた連続用紙の前記２つの印刷物となる領域の境界線を断裁する第２の断裁手段と、
前記第２の断裁手段にて断裁された２つの印刷物を同封する封入手段とを有することを特徴とする印刷物封入システム。
【請求項２】
３つの印刷物を同封する印刷物封入システムであって、
供給される連続用紙に対して、前記３つの印刷物が連接するように前記印刷物毎に所定の情報を印字する印字手段と、
前記印字手段にて所定の情報が印字された連続用紙を前記印刷物の提供先毎に断裁する第１の断裁手段と、
前記第１の断裁手段にて断裁された連続用紙を、前記３つの印刷物となる領域の境界線を折り目としてそれぞれ折り畳んだ後に、前記３つの印刷物のうち連接方向にて中央部分に配置された印刷物に他の２つの印刷物が挟み込まれるように前記中央部分に配置された印刷物となる領域を折り畳む折り手段と、
前記折り手段にて折り畳まれた連続用紙の前記３つの印刷物となる領域の境界線を断裁する第２の断裁手段と、
前記第２の断裁手段にて断裁された３つの印刷物を同封する封入手段とを有することを特徴とする印刷物封入システム。
【請求項３】
請求項２に記載の印刷物封入システムにおいて、
前記他の２つの印刷物は、連接方向の長さが互いに異なることを特徴とする印刷物封入システム。
【請求項４】
請求項１乃至３のいずれか１項に記載の印刷物封入システムにおいて、
前記印字手段は、前記他の印刷物が挟み込まれる印刷物の表出する領域に、当該印刷物の提供先を示す宛先情報を印字することを特徴とする印刷物封入システム。
【発明の詳細な説明】
【０００１】
【発明の属する技術分野】
本発明は、複数の印刷物を同封する印刷物封入システムに関し、特に、互いに形状が異なる印刷物を同封する印刷物封入システムに関する。
【０００２】
【従来の技術】
近年、複数種類の印刷物を自動的に丁合して封筒に封入、封緘するシステムを用いて、複数種類の印刷物が同封された送付物を作成し、送付することが行われている。このようなシステムにて同封される印刷物としては、カタログやパンフレット等のように送付先によらずに共通のものや、申込書や利用明細書等のように送付先毎に印字内容が異なるもの等があり、これら印刷物が送付先毎に予め決められた組み合わせで封入、封緘されて送付されることになる。
【０００３】
このような送付物として、互いに形状が異なる印刷物が同封された送付物を作成する場合、互いに形状が異なる印刷物においては、印刷処理を含めた加工処理をその形状毎に異なる加工工程にて行う必要があるため、まず、その形状毎に加工処理を行い、その後、加工処理が行われた印刷物を送付先毎に重ね合わせて同封し、送付することになる。例えば、Ａ４サイズの印刷物とＡ５サイズの印刷物とを同封する場合、Ａ４サイズの印刷物とＡ５サイズの印刷物とをそれぞれ異なる加工工程にて加工し、その後、Ａ４サイズの印刷物を二つ折りに折り畳み、この折り畳まれたＡ４サイズの印刷物にＡ５サイズの印刷物を重ね合わせて同封することになる。
【０００４】
ここで、上述したように複数種類の印刷物が送付先毎に同封される場合は、同封される印刷物が送付先毎に予め決められた組み合わせとなっているかどうか照合する必要がある。
【０００５】
そこで、従来、識別符号やバーコード情報等の識別情報を印刷物に印刷しておき、印刷物を丁合する際にこれらの識別情報を読み取り、それにより、同封される印刷物が送付先毎に決められた組み合わせとなっているかどうかが照合されている。
【０００６】
ところが、このように識別情報を印刷物に印刷する場合、印刷物の美観を損ねてしまうため、丁合前において、同封される複数種類の印刷物に印刷された情報をそれぞれ撮像し、これらの対応情報を保有しておき、丁合後において、複数種類の印刷物の丁合前にて情報が撮像された領域に印刷された情報をそれぞれ撮像し、これらを照合することにより、同封される印刷物が送付先毎に決められた組み合わせとなっているかどうかを照合する技術が考えられている（例えば、特許文献１参照。）。この技術を用いれば、同封される複数種類の印刷物のそれぞれに、識別符号やバーコード情報等の識別情報を印刷しておくことなく、同封される印刷物が送付先毎に決められた組み合わせとなっているかどうかを照合することができる。
【０００７】
【特許文献１】
特開２００２−２７９４０７号公報
【０００８】
【発明が解決しようとする課題】
しかしながら、識別符号やバーコード情報等の識別情報を印刷物に印刷しておき、印刷物を丁合する際にこれらの識別情報を読み取り、それにより、同封される印刷物が送付先毎に決められた組み合わせとなっているかどうかを照合するものにおいては、上述したように印刷物の美観を損ねるだけではなく、照合を手作業で行う場合は、手作業による照合ミスが生じる虞れがあり、また、照合を自動で行う場合においても、丁合作業時におけるエラー復旧時等に照合ミスが生じる虞れがある。
【０００９】
また、印刷物に印刷された情報を丁合前と丁合後とでそれぞれ撮像しておき、これらを照合することによって、同封される印刷物が送付先毎に決められた組み合わせとなっているかどうかを照合するものにおいても、印刷物に照合を行うための識別情報を印字しておく必要がないが、照合作業が必要となり、そのための装置及び工程を設けなければならず、コストアップが生じてしまうという問題点がある。
【００１０】
また、互いに形状が異なる印刷物を同封する場合に、同封される印刷物を重ね合わせて封入するため、印刷物を封入しずらいという問題点がある。
【００１１】
本発明は、上述したような従来の技術が有する問題点に鑑みてなされたものであって、互いに形状が異なる印刷物をその送付先毎に同封する印刷物封入システムにおいて、同封される印刷物が送付先毎に決められた組み合わせとなっているかどうかを照合することなく、決められた組み合わせの印刷物を容易に、かつ正しく同封することができる印刷物封入システムを提供することを目的とする。
【００１２】
【課題を解決するための手段】
上記目的を達成するために本発明は、
互いに形状が異なる２つの印刷物を同封する印刷物封入システムであって、
供給される連続用紙に対して、前記２つの印刷物が連接するように前記印刷物毎に所定の情報を印字する印字手段と、
前記印字手段にて所定の情報が印字された連続用紙を前記印刷物の提供先毎に断裁する第１の断裁手段と、
前記第１の断裁手段にて断裁された連続用紙を、前記２つの印刷物となる領域の境界線を折り目として折り畳んだ後に、前記２つの印刷物のうち連接方向の長さが短い印刷物が他方の印刷物に折り畳まれない状態で挟み込まれるように前記他方の印刷物となる領域を折り畳む折り手段と、
前記折り手段にて折り畳まれた連続用紙の前記２つの印刷物となる領域の境界線を断裁する第２の断裁手段と、
前記第２の断裁手段にて断裁された２つの印刷物を同封する封入手段とを有することを特徴とする。
【００１３】
また、３つの印刷物を同封する印刷物封入システムであって、
供給される連続用紙に対して、前記３つの印刷物が連接するように前記印刷物毎に所定の情報を印字する印字手段と、
前記印字手段にて所定の情報が印字された連続用紙を前記印刷物の提供先毎に断裁する第１の断裁手段と、
前記第１の断裁手段にて断裁された連続用紙を、前記３つの印刷物となる領域の境界線を折り目としてそれぞれ折り畳んだ後に、前記３つの印刷物のうち連接方向にて中央部分に配置された印刷物に他の２つの印刷物が挟み込まれるように前記中央部分に配置された印刷物となる領域を折り畳む折り手段と、
前記折り手段にて折り畳まれた連続用紙の前記３つの印刷物となる領域の境界線を断裁する第２の断裁手段と、
前記第２の断裁手段にて断裁された３つの印刷物を同封する封入手段とを有することを特徴とする。
【００１４】
また、前記他の２つの印刷物は、連接方向の長さが互いに異なることを特徴とする。
【００１５】
また、前記印字手段は、前記他の印刷物が挟み込まれる印刷物の表出する領域に、当該印刷物の提供先を示す宛先情報を印字することを特徴とする。
【００１６】
（作用）
上記のように構成された本発明においては、印字手段にて２つの印刷物が連接するように印刷物毎に所定の情報が印字され、その後、第１の断裁手段にて印刷物の提供先毎に断裁された連続用紙は、折り手段において、２つの印刷物となる領域の境界線を折り目として折り畳まれた後に、２つの印刷物のうち連接方向の長さが短い印刷物が他方の印刷物に折り畳まれない状態で挟み込まれるように他方の印刷物となる領域が折り畳まれ、その後、第２の断裁手段において、折り手段にて折り畳まれた連続用紙の２つの印刷物となる領域の境界線が断裁される。これにより、形状が異なる２つの印刷物が、連接方向の長さが短い印刷物が他方の印刷物に折り畳まれない状態で挟み込まれるように重ね合わされることになり、その後、このように重ね合わされた２つの印刷物を封入、封緘すれば、形状が異なる印刷物が送付先毎に決められた組み合わせとなっているかどうかを照合することなく、決められた組み合わせの印刷物を容易に、かつ正しく同封することができる。
【００１７】
また、印字手段にて３つの印刷物が連接するように印刷物毎に所定の情報が印字され、その後、第１の断裁手段にて印刷物の提供先毎に断裁された連続用紙が、折り手段において、折り手段において、３つの印刷物となる領域の境界線を折り目としてそれぞれ折り畳まれた後に、３つの印刷物のうち連接方向にて中央部分に配置された印刷物に他の２つの印刷物が挟み込まれるように中央部分に配置された印刷物となる領域が折り畳まれ、その後、第２の断裁手段において、折り手段にて折り畳まれた連続用紙の３つの印刷物となる領域の境界線が断裁される場合は、３つの印刷物のうち連接方向にて中央部分に配置された印刷物に他の２つの印刷物が挟み込まれるように３つの印刷物が重ね合わされることになり、その後、このように重ね合わされた２つの印刷物を封入、封緘すれば、形状が異なる印刷物が送付先毎に決められた組み合わせとなっているかどうかを照合することなく、決められた組み合わせの印刷物を容易に、かつ正しく同封することができる。
【００１８】
また、印字手段において、他の印刷物が挟み込まれる印刷物の表出する領域に、当該印刷物の提供先を示す宛先情報を印字する場合は、その印刷物を窓開き封筒に封入することにより、印刷物に印字された宛先情報を用いて印刷物を提供先に送付することが可能となる。
【００１９】
【発明の実施の形態】
以下に、本発明の実施の形態について図面を参照して説明する。
【００２０】
図１は、本発明の印刷物封入システムの実施の一形態を示す図である。
【００２１】
本形態は図１に示すように、連続用紙を供給する用紙供給部１０と、用紙供給部１０から供給された連続用紙の両面あるいは一方の面に対して印刷物の提供先毎に所定の情報を印字する印字部２０と、印字部２０にて所定の情報が印字された連続用紙を印刷物の提供先毎に断裁する第１の断裁手段である断裁部３０と、断裁部３０にて提供先毎に断裁された印刷物を所定の折り方で折り畳む折り部４０と、折り部４０にて折り畳まれた印刷物の所定の領域を断裁することにより、折り部４０にて折り畳まれた印刷物を複数の印刷物に分割する第２の断裁手段である断裁部５０と、断裁部５０にて分割された複数の印刷物を提供先毎に１つの封筒に封入、封緘したり、あるいはラッピングなどによって封書化したりする封入・封緘部６０とから構成されている。なお、断裁部３０においては、搬送される用紙の長さを検出し、所定の長さで断裁を行ったり、用紙に印字された模様やマークを検出する等の方法により断裁位置を特定することが考えられる。
【００２２】
以下に、上記のように構成された印刷物封入システムにおける印刷物封入方法について複数の実施の形態を例を挙げて説明する。
【００２３】
（第１の実施の形態）
用紙供給部１０から連続用紙が供給されると、まず、印字部２０において、用紙供給部１０から供給された連続用紙の両面あるいは一方の面に対して印刷物の提供先毎に所定の情報が印字される。
【００２４】
図２は、図１に示した用紙供給部１０から供給された連続用紙に印字部２０にて所定の情報が印字された状態の一例を示す図である。
【００２５】
図２に示すように、印字部２０においては、例えば、印刷物の提供先毎に決められた３つの領域１−１，１−２，１−３毎に所定の情報が印字されることになるが、本例においては、領域１−１，１−２，１−３がそれぞれ連続用紙の搬送方向に対して、情報が印字されないマージナル部２−１，２−２，２−３を介して領域３ａ−１，３ａ−２，３ａ−３と領域３ｂ−１，３ｂ−２，３ｂ−３との２つの領域に分割され、領域３ａ−１，３ａ−２，３ａ−３と領域３ｂ−１，３ｂ−２，３ｂ−３のそれぞれに所定の情報が印字される。また、領域３ａ−１，３ａ−２，３ａ−３の搬送方向の長さは、領域３ｂ−１，３ｂ−２，３ｂ−３の搬送方向の長さの２倍となっており、それにより、領域３ａ−１，３ａ−２，３ａ−３を搬送方向に二つ折りに等分に折り畳んだ場合にその長さは、領域３ｂ−１，３ｂ−２，３ｂ−３の搬送方向の長さと同一のものとなる。また、印字部２０においては、提供先毎に印刷物に印字すべき情報が登録されたデータベースを参照して、領域１−１，１−２，１−３のそれぞれに、提供先毎に同一あるいは異なる情報を印字することになる。
【００２６】
用紙供給部１０から供給された連続用紙に印字部２０にて提供先毎に所定の情報が印字されると、次に、断裁部３０において、印字部２０にて所定の情報が印字された連続用紙が印刷物の提供先毎に断裁される。断裁部３０においては、印刷物の提供先毎に所定の情報が印字された連続用紙の領域１−１，１−２，１−３の境界線が断裁され、それにより、領域１−１，１−２，１−３が分割されることになるが、分割されて提供先毎の単片形状となった印刷物は、その後、コンベヤー（不図示）等の搬送手段上を搬送されていく。また、断裁部３０における連続用紙の断裁においては、連続用紙を単片状に断裁する周知の方法によって行われる。
【００２７】
断裁部３０にて提供先毎に断裁された印刷物は、折り部４０に供給され、折り部４０において、断裁部３０にて提供先毎に断裁された印刷物が所定の折り方で折り畳まれる。
【００２８】
図３は、図１に示した断裁部３０にて提供先毎に断裁された印刷物が折り部４０にて折り畳まれる状態の一例を示す図である。
【００２９】
折り部４０においては、まず、断裁部３０にて提供先毎の印刷物として断裁された領域１−１が（図３（ａ））、領域１−１に含まれる領域３ａ−１と３ｂ−１との間に介在するマージナル部２−１にて折り畳まれる（図３（ｂ））。
【００３０】
次に、領域３ａ−１が搬送方向に対して等分に二つ折りに折り畳まれる（図３（ｃ））。すると、図３（ｃ）に示すように、二つ折りに折り畳まれた領域３ａ−１内に領域３ｂ−１が折り畳まれない状態で介在し、かつ、二つ折りに折り畳まれた領域３ａ−１からマージナル部２−１が突出するような状態となる。
【００３１】
折り部４０にて折り畳まれ、図３（ｃ）に示したような状態となった印刷物は断裁部５０に供給され、断裁部５０において、印刷物に含まれる領域３ａ−１と領域３ｂ−１との境界に設けられたマージナル部２−１が断裁され、切り落とされる。
【００３２】
図４は、図１に示した折り部４０にて折り畳まれた印刷物の所定の領域が断裁部５０にて断裁される状態の一例を示す図である。
【００３３】
折り部４０にて折り畳まれた印刷物は、図４（ａ）に示すように、二つ折りに折り畳まれた領域３ａ−１内に領域３ｂ−１が折り畳まれない状態で介在し、かつ、二つ折りに折り畳まれた領域３ａ−１からマージナル部２−１が突出するような状態となっているため、二つ折りに折り畳まれた領域３ａ−１から突出するような状態となっているマージナル部２−１を切り落とすと（図４（ｂ））、二つ折りに折り畳まれた領域３ａ−１と領域３ｂ−１とが分離され、二つ折りに折り畳まれた領域３ａ−１からなる印刷物に単片状となった領域３ｂ−１からなる印刷物が挟まれるような状態となる（図４（ｃ））。この際、領域３ａ−１の搬送方向の長さは領域３ｂ−１の搬送方向の長さの２倍であるため、領域３ｂ−１からなる印刷物が二つ折りに折り畳まれた領域３ａ−１からなる印刷物に重ね合わされるように挟まれた状態となる。なお、断裁部３０にて断裁された領域１−２，１−３についても、折り部４０にて領域１−１と同様に折り畳まれた後、断裁部５０においてマージナル部２−２，２−３が切り落とされ、二つ折りに折り畳まれた領域３ａ−２，３ａ−３と領域３ｂ−２，３ｂ−３とが分離され、二つ折りに折り畳まれた領域３ａ−３，３ａ−３からなる印刷物に単片状となった領域３ｂ−２，３ｂ−３からなる印刷物が挟まれるような状態となる。また、本形態においては、３つの領域１−１，１−２，１−３について説明しているが、３つに限らず複数の領域について同様の処理が行われるものである。
【００３４】
その後、断裁部５０にてマージナル部２−１，２−２，２−３が切り落とされて、二つ折りに折り畳まれた印刷物に単片状の印刷物が挟まれた状態となった印刷物対は、封入・封緘部６０において、提供先毎に１つの封筒に封入、封緘される。
【００３５】
（第２の実施の形態）
用紙供給部１０から連続用紙が供給されると、まず、印字部２０において、用紙供給部１０から供給された連続用紙の両面あるいは一方の面に対して印刷物の提供先毎に所定の情報が印字される。
【００３６】
図５は、図１に示した用紙供給部１０から供給された連続用紙に印字部２０にて所定の情報が印字された状態の他の例を示す図である。
【００３７】
図５に示すように、印字部２０においては、例えば、印刷物の提供先毎に決められた３つの領域１０１−１，１０１−２，１０１−３毎に所定の情報が印字されることになるが、本例においては、領域１０１−１，１０１−２，１０１−３がそれぞれ連続用紙の搬送方向に対して、情報が印字されないマージナル部１０２ａ−１，１０２ｂ−１，１０２ａ−２，１０２ｂ−２，１０２ａ−３，１０２ｂ−３を介して領域１０３ａ−１，１０３ａ−２，１０３ａ−３と領域１０３ｂ−１，１０３ｂ−２，１０３ｂ−３と、領域１０３ｃ−１，１０３ｃ−２，１０３ｃ−３との３つの領域に分割され、領域１０３ａ−１，１０３ａ−２，１０３ａ−３と領域１０３ｂ−１，１０３ｂ−２，１０３ｂ−３と領域１０３ｃ−１，１０３ｃ−２，１０３ｃ−３のそれぞれに所定の情報が印字される。また、領域１０３ｂ−１，１０３ｂ−２，１０３ｂ−３と領域１０３ｃ−１，１０３ｃ−２，１０３ｃ−３の搬送方向の長さは互いに等しく、かつ、領域１０３ａ−１，１０３ａ−２，１０３ａ−３の搬送方向の長さは、領域１０３ｂ−１，１０３ｂ−２，１０３ｂ−３及び領域１０３ｃ−１，１０３ｃ−２，１０３ｃ−３の搬送方向の長さの２倍となっており、それにより、領域１０３ａ−１，１０３ａ−２，１０３ａ−３を搬送方向に二つ折りに等分に折り畳んだ場合にその長さは、領域１０３ｂ−１，１０３ｂ−２，１０３ｂ−３及び領域１０３ｃ−１，１０３ｃ−２，１０３ｃ−３の搬送方向の長さと同一のものとなる。また、印字部２０においては、提供先毎に印刷物に印字すべき情報が登録されたデータベースを参照して、領域１０１−１，１０１−２，１０１−３のそれぞれに、提供先毎に同一あるいは異なる情報を印字することになる。
【００３８】
用紙供給部１０から供給された連続用紙に印字部２０にて提供先毎に所定の情報が印字されると、次に、断裁部３０において、印字部２０にて所定の情報が印字された連続用紙が印刷物の提供先毎に断裁される。断裁部３０においては、印刷物の提供先毎に所定の情報が印字された連続用紙の領域１０１−１，１０１−２，１０１−３の境界線が断裁され、それにより、領域１０１−１，１０１−２，１０１−３が分割されることになるが、分割されて提供先毎の単片形状となった印刷物は、その後、コンベヤー（不図示）等の搬送手段上を搬送されていく。また、断裁部３０における連続用紙の断裁においては、連続用紙を単片状に断裁する周知の方法によって行われる。
【００３９】
断裁部３０にて提供先毎に断裁された印刷物は、折り部４０に供給され、折り部４０において、断裁部３０にて提供先毎に断裁された印刷物が所定の折り方で折り畳まれる。
【００４０】
図６は、図１に示した断裁部３０にて提供先毎に断裁された印刷物が折り部４０にて折り畳まれる状態の他の例を示す図である。
【００４１】
折り部４０においては、まず、断裁部３０にて提供先毎の印刷物として断裁された領域１０１−１が（図６（ａ））、領域１０１−１に含まれる領域１０３ａ−１と１０３ｂ−１との間に介在するマージナル部１０２ａ−１、並びに、領域１０３ａ−１と１０３ｃ−１との間に介在するマージナル部１０２ｂ−１にてそれぞれ折り畳まれる（図６（ｂ））。
【００４２】
次に、領域１０３ａ−１が搬送方向に対して等分に二つ折りに折り畳まれる（図６（ｃ））。すると、図６（ｃ）に示すように、二つ折りに折り畳まれた領域１０３ａ−１内に領域１０３ｂ−１，１０３ｃ−１が介在し、かつ、二つ折りに折り畳まれた領域１０３ａ−１からマージナル部１０２ａ−１，１０２ｂ−１がそれぞれ突出するような状態となる。
【００４３】
折り部４０にて折り畳まれ、図６（ｃ）に示したような状態となった印刷物は断裁部５０に供給され、断裁部５０において、印刷物に含まれる領域１０３ａ−１と領域１０３ｂ−１との境界に設けられたマージナル部１０２ａ−１、並びに、領域１０３ｂ−１と領域１０３ｃ−１との境界に設けられたマージナル部１０２ｂ−１が断裁され、切り落とされる。
【００４４】
図７は、図１に示した折り部４０にて折り畳まれた印刷物の所定の領域が断裁部５０にて断裁される状態の他の例を示す図である。
【００４５】
折り部４０にて折り畳まれた印刷物は、図７（ａ）に示すように、二つ折りに折り畳まれた領域１０３ａ−１内に領域１０３ｂ−１，１０３ｃ−１が折り畳まれない状態で介在し、かつ、二つ折りに折り畳まれた領域１０３ａ−１からマージナル部１０２ａ−１，１０２ｂ−１が突出するような状態となっているため、二つ折りに折り畳まれた領域１０３ａ−１から突出するような状態となっているマージナル部１０２ａ−１，１０２ｂ−１を切り落とすと（図７（ｂ））、二つ折りに折り畳まれた領域１０３ａ−１と領域１０３ｂ−１，１０３ｃ−１とが分離され、二つ折りに折り畳まれた領域１０３ａ−１からなる印刷物に単片状となった領域１０３ｂ−１，１０３ｃ−１からなる印刷物が挟まれるような状態となる（図７（ｃ））。この際、領域１０３ａ−１の搬送方向の長さは領域１０３ｂ−１，１０３ｃ−１の搬送方向の長さの２倍であるため、領域１０３ｂ−１，１０３ｃ−１からなる印刷物が二つ折りに折り畳まれた領域１０３ａ−１からなる印刷物に重ね合わされるように挟まれた状態となる。なお、断裁部３０にて断裁された領域１０１−２，１０１−３についても、折り部４０にて領域１０１−１と同様に折り畳まれた後、断裁部５０においてマージナル部１０２ａ−２，１０２ａ−３，１０２ｂ−２，１０２ｂ−３が切り落とされ、二つ折りに折り畳まれた領域１０３ａ−２，１０３ａ−３と領域１０３ｂ−２，１０３ｂ−３，１０３ｃ−２，１０３ｃ−３とが分離され、二つ折りに折り畳まれた領域１０３ａ−３，１０３ａ−３からなる印刷物に単片状となった領域１０３ｂ−２，１０３ｂ−３，１０３ｃ−２，１０３ｃ−３からなる印刷物が挟まれるような状態となる。また、本形態においては、３つの領域１０１−１，１０１−２，１０１−３について説明しているが、３つに限らず複数の領域について同様の処理が行われるものである。
【００４６】
その後、断裁部５０にてマージナル部１０２ａ−１，１０２ａ−２，１０２ａ−３，１０２ｂ−１，１０２ｂ−２，１０２ｂ−３が切り落とされて、二つ折りに折り畳まれた印刷物に単片状の印刷物が挟まれた状態となった印刷物対は、封入・封緘部６０において、提供先毎に１つの封筒に封入、封緘される。
【００４７】
なお、本形態においては、二つ折りに折り畳まれる印刷物に挟まれる単片状の印刷物を構成する領域１０３ｂ−１，１０３ｂ−２，１０３ｂ−３の搬送方向の長さと領域１０３ｃ−１，１０３ｃ−２，１０３ｃ−３の搬送方向の長さとがそれぞれ同一である場合を例に挙げて説明したが、領域１０３ｂ−１，１０３ｂ−２，１０３ｂ−３の搬送方向の長さと領域１０３ｃ−１，１０３ｃ−２，１０３ｃ−３の搬送方向の長さとがそれぞれ互いに異なるように構成することも考えられる。
【００４８】
また、本形態においては、断裁部５０においてマージナル部１０２ａ−１，１０２ｂ−１を切り落としているが、マージナル部１０２ａ−１，１０２ｂ−１のうち一方、例えばマージナル部１０２ｂ−１を形成せず、かつ、折り部４０において、マージナル部１０２ａ−１のみが突出するように、領域１０３ａ−１と領域１０３ｃ−１との折り位置を図７（ｃ）中右側にずらせば、領域１０３ａ−１と領域１０３ｃ−１とが連接された状態で三つ折りにされ、その間に単片状となった領域１０３ｂ−１が挟まれる形態とすることもできる。
【００４９】
また、上述した２つの実施の形態を組み合わせ、領域１−１（図２参照）と領域１０１−１（図５参照）のように、長さの異なるパターンを連接した状態で印刷することも可能であり、用紙にタイミングマークを印字する等の方法により、異なるパターン毎に断裁した後に、長さに応じて折り畳み〜断裁を行うことも考えられる。このような方法をとることにより、提供先毎に印刷物の枚数が異なる場合でも、パターン毎に処理を分ける必要が無く、配送地域順にソートされた状態で処理することができる。
【００５０】
また、上述した２つの実施の形態においては、二つ折りに折り畳まれた印刷物に単片状の印刷物が挟まれるような構成となっているため、二つ折りに折り畳まれる印刷物のうち、二つ折りに折り畳まれた場合に表出する領域にその印刷物の宛先情報を印字すれば、その印刷物対を窓開き封筒に封入することにより、二つ折りに折り畳まれた印刷物に印字された宛先情報を用いて印刷物を提供先に送付することが可能となる。
【００５１】
【発明の効果】
以上説明したように本発明においては、互いに形状が異なる２つの印刷物を同封する印刷物封入システムにおいて、供給される連続用紙に対して、２つの印刷物が連接するように印刷物毎に所定の情報を印字する印字手段と、印字手段にて所定の情報が印字された連続用紙を印刷物の提供先毎に断裁する第１の断裁手段と、第１の断裁手段にて断裁された連続用紙を、２つの印刷物となる領域の境界線を折り目として折り畳んだ後に、２つの印刷物のうち連接方向の長さが短い印刷物が他方の印刷物に折り畳まれない状態で挟み込まれるように他方の印刷物となる領域を折り畳む折り手段と、折り手段にて折り畳まれた連続用紙の２つの印刷物となる領域の境界線を断裁する第２の断裁手段と、第２の断裁手段にて断裁された印刷物を封入する封入手段とを有する構成としたため、形状が異なる２つの印刷物が、連接方向の長さが短い印刷物が他方の印刷物に折り畳まれない状態で挟み込まれるように重ね合わされることになり、その後、このように重ね合わされた２つの印刷物を封入、封緘すれば、形状が異なる印刷物が送付先毎に決められた組み合わせとなっているかどうかを照合することなく、決められた組み合わせの印刷物を容易に、かつ正しく同封することができる。
【００５２】
また、３つの印刷物を同封する印刷物封入システムにおいて、供給される連続用紙に対して、３つの印刷物が連接するように印刷物毎に所定の情報を印字する印字手段と、印字手段にて所定の情報が印字された連続用紙を印刷物の提供先毎に断裁する第１の断裁手段と、第１の断裁手段にて断裁された連続用紙を、３つの印刷物となる領域の境界線を折り目としてそれぞれ折り畳んだ後に、３つの印刷物のうち連接方向にて中央部分に配置された印刷物に他の２つの印刷物が挟み込まれるように中央部分に配置された印刷物となる領域を折り畳む折り手段と、折り手段にて折り畳まれた連続用紙の３つの印刷物となる領域の境界線を断裁する第２の断裁手段と、第２の断裁手段にて断裁された印刷物を封入する封入手段とを有する構成としたため、３つの印刷物のうち連接方向にて中央部分に配置された印刷物に他の２つの印刷物が挟み込まれるように３つの印刷物が重ね合わされることになり、その後、このように重ね合わされた２つの印刷物を封入、封緘すれば、形状が異なる印刷物が送付先毎に決められた組み合わせとなっているかどうかを照合することなく、決められた組み合わせの印刷物を容易に、かつ正しく同封することができる。
【００５３】
また、印字手段において、他の印刷物が挟み込まれる印刷物の表出する領域に、当該印刷物の提供先を示す宛先情報を印字するものにおいては、その印刷物を窓開き封筒に封入することにより、印刷物に印字された宛先情報を用いて印刷物を提供先に送付することが可能となる。
【図面の簡単な説明】
【図１】本発明の印刷物封入システムの実施の一形態を示す図である。
【図２】図１に示した用紙供給部から供給された連続用紙に印字部にて所定の情報が印字された状態の一例を示す図である。
【図３】図１に示した断裁部にて提供先毎に断裁された印刷物が折り部にて折り畳まれる状態の一例を示す図である。
【図４】図１に示した折り部にて折り畳まれた印刷物の所定の領域が断裁部にて断裁される状態の一例を示す図である。
【図５】図１に示した用紙供給部から供給された連続用紙に印字部にて所定の情報が印字された状態の他の例を示す図である。
【図６】図１に示した断裁部にて提供先毎に断裁された印刷物が折り部にて折り畳まれる状態の他の例を示す図である。
【図７】図１に示した折り部にて折り畳まれた印刷物の所定の領域が断裁部にて断裁される状態の他の例を示す図である。
【符号の説明】
１０    用紙供給部
２０    印字部
３０，５０    断裁部
４０    折り部
６０    封入・封緘部
【図１】
2004224493.tif 000003
【図２】
2004224493.tif 000004
【図３】
2004224493.tif 000005
【図４】
2004224493.tif 000006
【図５】
2004224493.tif 000007
【図６】
2004224493.tif 000008
【図７】
2004224493.tif 000009